(57)【要約】【課題】計測値の読取りに誤りがあるか否かを適切に判定する計測値読取装置等を提供する。【解決手段】計測値読取装置１０は、カメラ２０で撮影された計測器の画像に基づいて、計測器の計測値を読み取る計測値読取部１３と、計測値読取部１３によって読み取られた計測値が所定範囲外である場合、当該計測値に関して、計測値読取部１３による読取りに誤りがあったと判定する判定部１４と、を備える。判定部１４は、計測値読取部１３による読取りに誤りがあったか否かを、計測値の大きさに基づいて判定する。【選択図】図３
2017224252.tif 000002
【特許請求の範囲】
【請求項１】
カメラで撮影された計測器の画像に基づいて、前記計測器の計測値を読み取る計測値読取部と、
前記計測値読取部によって読み取られた前記計測値が所定範囲外である場合、当該計測値に関して、前記計測値読取部による読取りに誤りがあったと判定する判定部と、を備えること
を特徴とする計測値読取装置。
【請求項２】
前記計測値読取部によって読み取られた前記計測値の候補が複数存在する場合、前記判定部は、複数の前記候補のうち前記所定範囲内であるものを特定し、前記所定範囲内である前記候補のうち、当該候補の確からしさの度合いを示す確度が最も高いものを前記計測器の計測値とすること
を特徴とする請求項１に記載の計測値読取装置。
【請求項３】
前記判定部は、前記計測値読取部による前記計測値の読取りに誤りがあったと判定した場合、当該計測値が読み取られたときの前記計測器の撮影結果である画像を画像記憶部に格納すること
を特徴とする請求項１又は請求項２に記載の計測値読取装置。
【請求項４】
カメラで所定時間毎に撮影された計測器の画像に基づいて、前記計測器の計測値を読み取る計測値読取部と、
前記計測値読取部によって読み取られた前記計測値に関して、前回の前記計測値に対する今回の前記計測値の差分、又は、前回の前記計測値に占める今回の前記計測値の比率の演算結果が所定範囲外である場合、今回の前記計測値に関して、前記計測値読取部による読取りに誤りがあったと判定する判定部と、を備えること
を特徴とする計測値読取装置。
【請求項５】
前記計測値読取部によって読み取られた今回の前記計測値の候補が複数存在する場合、前記判定部は、複数の前記候補のうち前記演算結果が前記所定範囲内であるものを特定し、前記演算結果が前記所定範囲内である前記候補のうち、当該候補の確からしさの度合いを示す確度が最も高いものを前記計測器の今回の計測値とすること
を特徴とする請求項４に記載の計測値読取装置。
【請求項６】
前記判定部は、前記計測値読取部による今回の前記計測値の読取りに誤りがあったと判定した場合、当該計測値が読み取られたときの前記計測器の撮影結果である画像を画像記憶部に格納すること
を特徴とする請求項４又は請求項５に記載の計測値読取装置。
【請求項７】
カメラで撮影された計測器の画像に基づいて、前記計測器の計測値を読み取る計測値読取ステップと、
前記計測値読取ステップで読み取られた前記計測値が所定範囲外である場合、当該計測値に関して、前記計測値読取ステップでの読取りに誤りがあったと判定する判定ステップと、を含むこと
を特徴とする計測値読取方法。
【請求項８】
カメラで所定時間毎に撮影された計測器の画像に基づいて、前記計測器の計測値を読み取る計測値読取ステップと、
前記計測値読取ステップで読み取られた前記計測値に関して、前回の前記計測値に対する今回の前記計測値の差分、又は、前回の前記計測値に占める今回の前記計測値の比率の演算結果が所定範囲外である場合、今回の前記計測値に関して、前記計測値読取ステップでの読取りに誤りがあったと判定する判定ステップと、を含むこと
を特徴とする計測値読取方法。
【請求項９】
請求項７又は請求項８に記載の計測値読取方法をコンピュータに実行させるためのプログラム。
【発明の詳細な説明】
【技術分野】
【０００１】
本発明は、計測器の計測値を読み取る計測値読取装置等に関する。
【背景技術】
【０００２】
計測器（計器）の計測値を読み取る技術として、例えば、特許文献１には、「撮像手段が撮像した画像を処理して、前記計器が示す数値を検出する」ことが記載されている。
【先行技術文献】
【特許文献】
【０００３】
【特許文献１】特開２０１１−１７５５２３号公報
【発明の概要】
【発明が解決しようとする課題】
【０００４】
ところで、計測器（計器）の周囲の照明条件や場内環境によっては、撮像手段の撮像結果の画質が悪いことがある。このように撮像結果の画質が悪い場合、特許文献１に記載の技術を用いたとしても、場合によっては、計測値の読取りに誤りが生じる可能性がある。このような読取りの誤りを防止するために、計測器の周囲の照明条件等を改善したり、撮像手段として高性能のカメラを用いたりすることも考えられるが、コストの増加を招いてしまう。
【０００５】
そこで、本発明は、計測値の読取りに誤りがあるか否かを適切に判定する計測値読取装置等を提供することを課題とする。
【課題を解決するための手段】
【０００６】
前記課題を解決するために、本発明に係る計測値読取装置は、カメラで撮影された計測器の画像に基づいて、前記計測器の計測値を読み取る計測値読取部と、前記計測値読取部によって読み取られた前記計測値が所定範囲外である場合、当該計測値に関して、前記計測値読取部による読取りに誤りがあったと判定する判定部と、を備えることを特徴とする。
【０００７】
また、本発明に係る計測値読取装置は、カメラで所定時間毎に撮影された計測器の画像に基づいて、前記計測器の計測値を読み取る計測値読取部と、前記計測値読取部によって読み取られた前記計測値に関して、前回の前記計測値に対する今回の前記計測値の差分、又は、前回の前記計測値に占める今回の前記計測値の比率の演算結果が所定範囲外である場合、今回の前記計測値に関して、前記計測値読取部による読取りに誤りがあったと判定する判定部と、を備えることを特徴とする。
【発明の効果】
【０００８】
本発明によれば、計測値の読取りに誤りがあるか否かを適切に判定する計測値読取装置等を提供できる。
【図面の簡単な説明】
【０００９】
【図１】本発明の第１実施形態に係る計測値読取装置を含む計測システムの構成図である。
【図２Ａ】計測器の表示部の第１の例を示す説明図である。
【図２Ｂ】計測器の表示部の第２の例を示す説明図である。
【図２Ｃ】計測器の表示部の第３の例を示す説明図である。
【図３】本発明の第１実施形態に係る計測値読取装置の機能ブロック図である。
【図４】本発明の第１実施形態に係る計測値読取装置が備える判定範囲データベースの一例を示す説明図である。
【図５】本発明の第１実施形態に係る計測値読取装置が実行する処理のフローチャートである。
【図６】本発明の第１実施形態に係る計測値読取装置が実行する処理のフローチャートである。
【図７】本発明の第２実施形態に係る計測値読取装置の機能ブロック図である。
【図８】本発明の第２実施形態に係る計測値読取装置が備える判定範囲データベースの一例を示す説明図である。
【図９】本発明の第２実施形態に係る計測値読取装置が実行する処理のフローチャートである。
【発明を実施するための形態】
【００１０】
≪第１実施形態≫
図１は、第１実施形態に係る計測値読取装置１０を含む計測システム１００の構成図である。
計測システム１００は、計測器Ｋの計測値を読み取って記録するシステムであり、計測値読取装置１０と、カメラ２０と、を備えている。計測器Ｋは、温度計・圧力計・電流計等のセンサであり、その計測値が表示部Ｋａに表示されるようになっている。
【００１１】
図２Ａは、計測器Ｋの表示部Ｋａの第１の例を示す説明図である。図２Ａに示す例では、計測器Ｋの表示部Ｋａが、７セグメントディスプレイとして構成されている。
【００１２】
図２Ｂは、計測器Ｋの表示部Ｋａの第２の例を示す説明図である。図２Ｂに示す例では、計測器Ｋの表示部Ｋａが、ダイヤルカウンタとして構成されている。
【００１３】
図２Ｃは、計測器Ｋの表示部Ｋａの第３の例を示す説明図である。図２Ｃに示す例では、計測器Ｋの表示部Ｋａが、アナログメータとして構成されている。
【００１４】
なお、図１に示すカメラ２０で撮影される計測器Ｋが複数存在する場合において、表示部Ｋａの表示形式（図２Ａ、図２Ｂ、図２Ｃ参照）が異なる計測器Ｋが混在していてもよい。また、表示部Ｋａの表示形式は、図２Ａ、図２Ｂ、図２Ｃに示すものに限定されず、例えば、水銀温度計のような棒状メータやドットマトリクスディスプレイといった表示形式にも本実施形態を適用できる。
【００１５】
図１に示すカメラ２０は、計測器Ｋの表示部Ｋａを撮影するものであり、計測器Ｋの付近に設置されている。なお、振動等に伴ってカメラ２０の撮影範囲がずれた場合に備えて、表示部Ｋａの周辺にマーカ（図示せず）を付しておき、このマーカの位置に基づいて、カメラ２０（又は計測値読取装置１０）の撮影結果である画像を補正してもよい。また、カメラ２０の撮影結果である画像は、ネットワークＮを介して、計測値読取装置１０に送信される。
ネットワークＮは、ＬＡＮ（Local Area Network）等の構内ネットワークや、ＷＡＮ（Wide Area Network）等の広域ネットワークである。
【００１６】
計測値読取装置１０は、カメラ２０で撮影した計測器Ｋの画像に基づいて、計測器Ｋの計測値を読み取る装置である。
計測値読取装置１０は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００１７】
図３は、計測値読取装置１０の機能ブロック図である。
なお、図３では、ネットワークＮ（図１参照）の図示を省略しているが、計測値読取装置１０は、ネットワークＮを介してカメラ２０に接続されている。
図３に示すように、計測値読取装置１０は、撮影指示部１１と、画像記憶部１２と、計測値読取部１３と、判定部１４と、判定範囲データベース（ＤＢ）１５と、計測値記録部１６と、計測値ファイル１７と、報知部１８と、を備えている。なお、撮影指示部１１等の機能は、ＲＯＭに格納されている所定のプログラムをＣＰＵが実行することによって具現化される。
【００１８】
撮影指示部１１は、計測器Ｋを撮影する旨の制御信号を、ネットワークＮを介してカメラ２０に送信する機能を有している。例えば、撮影指示部１１は、各カメラ２０に対して、所定時間毎に撮影指示の制御信号を送信する。なお、撮影指示部１１から不定期に撮影指示の制御信号を送信してもよいし、また、管理者の操作に基づく所定のタイミングで撮影指示の制御信号を送信してもよい。
【００１９】
画像記憶部１２には、カメラ２０の撮影結果である計測器Ｋの画像等のデータが格納される。なお、前記したデータには、計測器Ｋの識別情報（計測器識別情報：図４参照）や、計測器Ｋを撮影したカメラ２０の識別情報（カメラ識別情報：図４参照）、撮影時刻等が付加されている。
【００２０】
計測値読取部１３は、カメラ２０で撮影された計測器Ｋの画像に基づいて、計測器Ｋの計測値を読み取る機能を有している。すなわち、計測値読取部１３は、画像記憶部１２に記憶された画像を読み出して、その画像に含まれる計測値を画像解析に基づいて読み取る。
【００２１】
なお、計測値読取部１３には、各カメラ２０から送信される画像上の表示部Ｋａ（図１参照）の位置や表示形式等が、予め設定されている。例えば、表示部Ｋａが、図２Ａに示す７セグメントディスプレイや、図２Ｂに示すダイヤルカウンタである場合、計測値読取部１３は、表示部Ｋａの画像を二値化する。すなわち、計測値読取部１３は、カメラ２０から得られた縦横ｍ×ｎの所定解像度の画像に含まれる各画素を二値化する。そして、計測値読取部１３は、二値化した画像の境界線の形状と、予め記憶している“０”〜“９”の形状と、の比較に基づいて、計測器Ｋの計測値を読み取る。
【００２２】
また、例えば、表示部Ｋａが、図２Ｃに示すアナログメータである場合、計測値読取部１３は、メータ上の針の位置（所定の基準位置に対する針の角度）に基づいて、計測器Ｋの計測値を読み取る。
【００２３】
なお、計測器Ｋの周りが暗かったり、計測器Ｋの表面で太陽光が反射したりして、カメラ２０の撮影結果の画質が悪くなり、計測値読取部１３では計測値を一つに特定できないこともある。例えば、７セグメントディスプレイ（図２Ａ参照）の中央のセグメントが点灯しているか、又は消灯しているかを判別できず、計測値が“８”（点灯している場合）であるか、又は“０”（消灯していない場合）であるかを判別できないことがある。このような場合、計測値読取部１３は、計測器Ｋの撮影結果に基づいて、計測値の候補として“８”及び“０”を挙げる。
【００２４】
また、計測値読取部１３は、前記した各候補の確からしさの度合いを示す「確度」を算出する機能を有している。例えば、カメラ２０による撮影が所定時間毎に繰り返される場合において、計測値読取部１３は、前回までの計測値の変動範囲や変化速度に基づいて、各候補の確度を算出する。一例を挙げると、前回までの計測値が“８０”前後で推移している場合において、十の位の表示が“８”であるか、又は“０”であるかを確定できないとする。このような場合、計測値読取部１３によって、“０”の確度よりも“８”の確度の方が大きな値として算出される。
【００２５】
判定部１４は、計測値が所定の判定範囲（所定範囲）に含まれているか否かに基づいて、その計測値の読取りに誤りがあったか否かを判定する機能を有している。前記した「判定範囲」とは、計測値の読取りに誤りがあるか否かの判定基準となる範囲である。判定部１４は、計測値の判定範囲を規定する上限値・下限値を判定範囲データベース１５から読み出し、計測値読取部１３で検出された計測値が判定範囲に含まれているか否かを判定する。
【００２６】
判定範囲データベース１５には、前記した判定範囲に関するデータが格納されている。なお、判定範囲は、計測器Ｋが設置される機器（図示せず）の特性や、計測器Ｋの種類等に基づいて、管理者の入力操作によって予め設定されている。
【００２７】
図４は、計測値読取装置１０が備える判定範囲データベース１５の一例を示す説明図である。
判定範囲データベース１５には、カメラ２０の識別情報（カメラ識別情報）と、そのカメラ２０が撮影する計測器Ｋの識別情報（計測器識別情報）と、判定範囲を規定する下限値・上限値と、が予め格納されている。
【００２８】
例えば、大気圧条件下で加熱されている水の温度が計測対象である場合、液体の水が取り得る温度範囲の０℃（下限値）〜１００℃（上限値）を判定範囲として設定してもよい。また、加熱条件等を考慮してさらに範囲を絞った上限値・下限値（例えば、２５℃〜４０℃）を判定範囲として設定してもよい。
【００２９】
一例を挙げると、カメラ識別情報が「ＸＸＸ１」のカメラ２０から計測器Ｋの画像を受信した場合、判定部１４は、このカメラ識別情報「ＸＸＸ１」に対応する判定範囲、すなわち下限値２０℃・上限値３０℃を読み出す。そして、計測値読取部１３が読み取った計測値が２０℃〜３０℃の範囲内である場合、判定部１４は、計測値読取部１３の読取りに誤りがなかったと判定する。一方、計測値読取部１３が読み取った計測値が２０℃〜３０℃の範囲外である場合、判定部１４は、計測値読取部１３の読取りに誤りがあったと判定する。
【００３０】
なお、計測値の読取りに誤りがあったと判定部１４が判定した場合、当該計測値が読み取られたときの計測器Ｋの撮影結果である画像を画像記憶部１２に格納することが好ましい。例えば、判定部１４は、その画像に消去禁止フラグを付与したり、その画像を保存用のフォルダに移動させたりする。このように、計測値の読取りに誤りがあった画像を記録することで、後から管理者がその画像を確認し、計測値の読取り不良が生じた原因の判断材料として用いることができる。
【００３１】
計測値記録部１６は、計測値読取部１３によって読み取られた計測値を計測値ファイル１７に記録する機能を有している。すなわち、計測値記録部１６は、読取結果である計測値、及び、その計測値の取得時刻（画像の撮影時刻）を、各計測器Ｋに対応付けて計測値ファイル１７に格納する。なお、判定部１４によって計測値の読取りに誤りがあると判定された場合、計測値記録部１６によって、計測値ファイル１７の所定のアドレスにエラーを示す文字列を書き込むようにしてもよい。
なお、計測値ファイル１７のデータは、計測値読取装置１０に接続されているディスプレイ（図示せず）や、管理者が携帯するスマートフォン、タブレット等の情報端末に表示可能である。
【００３２】
報知部１８は、判定部１４によって計測値の読取りに誤りがあると判定された場合に、エラーを報知する機能を有している。例えば、報知部１８は、計測値読取装置１０に接続されているディスプレイ（図示せず）に、計測値の読取りに誤りがあった旨や、その計測値に対応する計測器Ｋの識別情報・カメラ２０の識別情報等を表示する。
【００３３】
図５は、計測値読取装置１０が実行する処理のフローチャートである。
ステップＳ１０１において計測値読取装置１０は、撮影指示部１１によって、カメラ２０に撮影指示の制御信号を送信する。
ステップＳ１０２において計測値読取装置１０は、撮影指示に対応する画像をカメラ２０から取得したか否かを判定する。撮影指示に対応する画像をカメラ２０から取得していない場合（Ｓ１０２：Ｎｏ）、計測値読取装置１０は、ステップＳ１０２の判定処理を繰り返す。一方、撮影指示に対応する画像をカメラ２０から取得した場合（Ｓ１０２：Ｙｅｓ）、計測値読取装置１０の処理はステップＳ１０３に進む。
【００３４】
ステップＳ１０３において計測値読取装置１０は、取得した画像を画像記憶部１２に格納する。
ステップＳ１０４において計測値読取装置１０は、計測値読取部１３によって、画像記憶部１２から画像を読み出し、計測器Ｋの計測値を読み取る（計測値読取ステップ）。
【００３５】
ステップＳ１０５において計測値読取装置１０は、計測値読取部１３の読取結果として複数の候補が挙げられているか否かを判定する。計測値の複数の候補が挙げていない場合（Ｓ１０５：Ｎｏ）、計測値読取装置１０の処理はステップＳ１０６に進む。つまり、計測器Ｋの計測値の読取結果が一つに絞られている場合、計測値読取装置１０の処理はステップＳ１０６に進む。
【００３６】
ステップＳ１０６において計測値読取装置１０は、計測値読取部１３によって読み取られた計測値が所定の判定範囲内（所定範囲内）であるか否かを、判定部１４によって判定する（判定ステップ）。すなわち、計測値読取装置１０は、画像の送信元であるカメラ２０に対応する判定範囲を判定範囲データベース１５から読み出し、読取結果である計測値が、この判定範囲内であるか否かを判定する。
読取結果である計測値が判定範囲内である場合（Ｓ１０６：Ｙｅｓ）、計測値読取装置１０の処理はステップＳ１０７に進む。
【００３７】
ステップＳ１０７において計測値読取装置１０は、判定部１４によって、計測値の読取りに誤りがなかったと判定する。
ステップＳ１０８において計測値読取装置１０は、計測値記録部１６によって、計測値ファイル１７に計測値を記録し、一連の処理を終了する（ＥＮＤ）。
【００３８】
また、ステップＳ１０６において、読取結果である計測値が判定範囲外である場合（Ｓ１０６：Ｎｏ）、計測値読取装置１０の処理はステップＳ１０９に進む。
ステップＳ１０９において計測値読取装置１０は、判定部１４によって、計測値の読取りに誤りがあったと判定する。
ステップＳ１１０において計測値読取装置１０は、計測値読取装置１０に接続されているディスプレイ等に、報知部１８によってエラー表示を行い、一連の処理を終了する（ＥＮＤ）。なお、図５では省略したが、計測値読取装置１０は、ステップＳ１１０においてエラー表示を行うとともに、計測値ファイル１７にエラーを記録し、カメラ２０の撮影結果である画像を、ステップＳ１０９の判定結果に対応付けて画像記憶部１２に格納する。この画像は、計測値の読取り不良の原因を管理者が特定する際の材料として用いられる。
【００３９】
また、ステップＳ１０５において計測値の候補が複数存在する場合（Ｓ１０５：Ｙｅｓ）、計測値読取装置１０の処理は、図６のステップＳ１１１に進む。
図６のステップＳ１１１において計測値読取装置１０は、計測値読取部１３によって、それぞれの候補の確度を算出する。
【００４０】
ステップＳ１１２において計測値読取装置１０は、判定部１４によって、第１候補が判定範囲内（所定範囲内）であるか否かを判定する。前記した「第１候補」とは、複数の候補のうち、確度が最も高い候補である。第１候補が判定範囲内である場合（ステップＳ１１２：Ｙｅｓ）、計測値読取装置１０の処理はステップＳ１１３に進む。
【００４１】
ステップＳ１１３において計測値読取装置１０は、第１候補の信頼性が高いと判定し、第１候補の値を計測器Ｋの計測値として、計測値ファイル１７に記録する。ステップＳ１１３の処理を行った後、計測値読取装置１０は、一連の処理を終了する（図５の「ＥＮＤ」）。
【００４２】
また、ステップＳ１１２において第１候補が判定範囲外である場合（ステップＳ１１２：Ｎｏ）、計測値読取装置１０の処理はステップＳ１１４に進む。
ステップＳ１１４において計測値読取装置１０は、判定部１４によって、他の候補が判定範囲内（所定範囲内）であるか否かを判定する。他の候補が判定範囲内である場合（Ｓ１１４：Ｙｅｓ）、計測値読取装置１０の処理はステップＳ１１５に進む。
【００４３】
ステップＳ１１５において計測値読取装置１０は、他の候補の信頼性が高いと判定し、他の候補を計測器Ｋの計測値として計測値ファイル１７に記録し、一連の処理を終了する（図５の「ＥＮＤ」）。なお、他の候補が複数存在する場合、計測値読取装置１０は、その値が判定範囲内であり、かつ、確度が最も高い候補を計測器Ｋの計測値として記録する。
【００４４】
例えば、計測値の候補として、「３０（確度５）」、「８０（確度８）」、「９０（確度５）」があり、判定範囲が「５０〜９０」であったとする。この場合において、計測値読取装置１０は、各候補のうち判定範囲内にあるもの（つまり、「８０」及び「９０」）を特定する。このうち、確度が最も高い候補は「８０」であるから、判定部１４は、この「８０」を信頼できる計測値として計測値ファイル１７に格納する。このようにして、計測値読取装置１０は、判定範囲内にある候補のうち、確度が最も高いものを計測器Ｋの計測値として記録する。
【００４５】
また、ステップＳ１１４において、その値が判定範囲内である候補が存在しない場合（Ｓ１１４：Ｎｏ）、計測値読取装置１０の処理はステップＳ１１６に進む。
ステップＳ１１６において計測値読取装置１０は、判定部１４は、いずれの候補も信頼性が低いと判定し、エラー表示を行って、その結果を記録する。
【００４６】
＜効果＞
第１実施形態によれば、計測値読取装置１０は、自身が読み取った計測値が所定の判定範囲外である場合（Ｓ１０６：Ｎｏ）、計測値の読取りに誤りがあったと判定する（Ｓ１０９）。これによって、管理者は、誤った計測値を計測結果の集計から除外したり、計測システム１００の不良箇所を早期に改善したりする等の対応を取ることができる。
また、第１実施形態によれば、計測器Ｋの周囲の照明条件等を改善したり、高性能のカメラ２０を使用したりせずとも、計測器Ｋの計測値を適切に読み取ることができる。これによって、計測システム１００に要するコストの増加を抑制できる。
【００４７】
また、計測値の読取結果として複数の候補が挙げられた場合には（Ｓ１０５：Ｙｅｓ）、その候補の値及び確度に基づいて、計測値が確定される（Ｓ１１１〜Ｓ１１５）。これによって、計測値の読取り精度を従来よりも高めることができる。
また、計測値読取装置１０は、計測値の読取りに誤りがあったと判定した場合（Ｓ１０９）、エラー表示を行う（Ｓ１１０）。これによって、計測値の読取り不良に関して管理者が早期に対応できる。
【００４８】
≪第２実施形態≫
第２実施形態は、前回の計測値に対する今回の計測値の差分等が所定範囲外である場合、計測値の読取りに誤りがあったと判定する点が第１実施形態とは異なっているが、その他については第１実施形態と同様である。したがって、第１実施形態とは異なる部分について説明し、重複する部分については説明を省略する。
【００４９】
図７は、第２実施形態に係る計測値読取装置１０Ａの機能ブロック図である。
計測値読取装置１０Ａは、撮影指示部１１と、画像記憶部１２と、計測値読取部１３Ａと、判定部１４Ａと、判定範囲データベース１５Ａと、を備えている。また、計測値読取装置１０Ａは、前記した構成の他に、計測値記録部１６と、計測値ファイル１７と、報知部１８と、差分等算出部１９と、を備えている。
【００５０】
計測値読取部１３Ａは、カメラ２０で所定時間毎に撮影された計測器Ｋの画像に基づいて、計測器Ｋの計測値を読み取る機能を有している。
差分等算出部１９は、前回の計測値に対する今回の計測値の差分を算出したり、前回の計測値に占める今回の計測値の比率を算出したりする機能を有している。
判定範囲データベース１５Ａには、前記した「差分」や「比率」に基づいて、計測値の読取りに誤りがあったか否かを判定する際の基準となる判定範囲（所定範囲）のデータが格納されている。
【００５１】
図８は、計測値読取装置１０Ａが備える判定範囲データベース１５Ａの一例を示す説明図である。
図８に示す例では、計測器識別情報が「ＹＹＹ１」の計測器Ｋについては、判定範囲の下限値が「前回計測値」として設定され、上限値が「前回計測値＋５ｋＷｈ」として設定されている。つまり、前回の計測値に対する今回の計測値の差分の許容範囲が「＋５ｋＷｈ」に設定されている。例えば、電力量計のように、時間の経過とともに計測値が単調増加する計測器Ｋについては、このように判定範囲を設定することが望ましい。
【００５２】
また、計測器識別情報が「ＹＹＹ２」の計測器Ｋについては、前回の計測値に対する今回の計測値の差分の許容範囲が「±５℃」に設定されている。その計測値が増加・減少し得る計測器Ｋに関しては、このように差分の許容範囲を設定してもよい。
【００５３】
また、計測器識別情報が「ＹＹＹ３」の計測器Ｋについては、判定範囲の下限値が「前回計測値から−５％」として設定され、上限値が「前回計測値から＋５％」として設定されている。つまり、前回の計測値に占める今回の計測値の比率の許容範囲が９５％〜１０５％に設定されている。
【００５４】
図７に示す判定部１４Ａは、計測値読取部１３Ａによって読み取られた計測値に関して、前回の計測値に対する今回の計測値の差分等（つまり、差分又は比率）が所定の判定範囲内であるか否かに基づいて、計測値の読取りに誤りがあったか否かを判定する機能を有している。
【００５５】
図９は、計測値読取装置１０Ａが実行する処理のフローチャートである。
なお、第１実施形態（図５参照）と同様の処理には、同一のステップ番号を付している。
ステップＳ１０４において計測値の読取りを行った後、ステップＳ１２０において計測値読取装置１０Ａは、差分等算出部１９によって、前回に対する今回の計測値の差分等を算出する。例えば、計測器識別情報が「ＹＹＹ１」、「ＹＹＹ２」（図８参照）の計測器Ｋに関して、計測値読取装置１０Ａは、前回の計測値に対する今回の計測値の差分を算出する。また、計測器識別情報が「ＹＹＹ３」（図８参照）の計測器Ｋに関して、計測値読取装置１０Ａは、前回の計測値に占める今回の計測値の比率を算出する。
【００５６】
ステップＳ１２０の処理を行った後、ステップＳ１０５において計測値読取装置１０Ａは、計測値読取部１３の読取結果として複数の候補が挙げられているか否かを判定する。複数の候補が存在する場合（Ｓ１０５：Ｙｅｓ）、計測値読取装置１０Ａの処理は、第１実施形態で説明したステップＳ１１１（図６参照）に進む。
【００５７】
なお、ステップＳ１１１〜Ｓ１１６の処理は、第１実施形態と同様であるが、図６に示すステップＳ１１２では、第１候補に関する差分等が判定範囲内であるか否かが判定される。また、図６に示すステップＳ１１４では、他の候補に関する差分等が判定範囲内であるか否かが判定される。つまり、今回の計測値の候補が複数存在する場合、判定部１４Ａは、複数の候補のうち差分等の演算結果が判定範囲内であるものを特定し、前記した演算結果が判定範囲内である候補のうち、確度が最も高いものを計測器Ｋの今回の計測値として記録する。
【００５８】
また、図９のステップＳ１０５において複数の候補が存在しない場合（Ｓ１０５：Ｎｏ）、計測値読取装置１０Ａの処理はステップＳ１２１に進む。つまり、計測値の読取結果が一つに絞られている場合、計測値読取装置１０の処理はステップＳ１２１に進む。
【００５９】
ステップＳ１２１において計測値読取装置１０Ａは、判定部１４Ａによって、前回の計測値に対する今回の計測値の差分等が所定の判定範囲内（所定範囲内）であるか否かを判定する（判定ステップ）。例えば、計測器識別情報が「ＹＹＹ１」（図８参照）の計測器Ｋに関して、計測値読取装置１０Ａは、前回の計測値に対する今回の計測値の差分が＋５ｋＷｈ以内であるか否かを判定する。また、計測器識別情報が「ＹＹＹ３」（図８参照）の計測器Ｋに関して、計測値読取装置１０Ａは、前回の計測値に占める今回の計測値の比率が９５％〜１０５％の範囲内であるか否かを判定する。
【００６０】
ステップＳ１２１において、前回の計測値に対する今回の計測値の差分等が判定範囲内である場合（Ｓ１２１：Ｙｅｓ）、計測値読取装置１０Ａの処理はステップＳ１０７に進む。一方、前回の計測値に対する今回の計測値の差分等が判定範囲外である場合（Ｓ１２１：Ｎｏ）、計測値読取装置１０Ａの処理はステップＳ１０９に進む。なお、ステップＳ１０７〜Ｓ１１０の処理いついては、第１実施形態（図５参照）と同様であるから、説明を省略する。
【００６１】
＜効果＞
第２実施形態によれば、前回の計測値に対する今回の計測値の差分等に基づいて、計測値の読取りに誤りがあるか否かを適切に判定できる。特に、計測値の変化の仕方（単調増加等）が予め分かっている場合には、第２実施形態で説明したように、前回と今回の計測値の差分等に基づいて、計測値の読取りに誤りがあったか否かを判定することが有効である。
【００６２】
≪変形例≫
以上、本発明に係る計測値読取装置１０，１０Ａについて各実施形態により説明したが、本発明はこれに限定されるものではなく、種々の変更を行うことができる。
例えば、各実施形態では、１つの計測器Ｋに対して１台のカメラ２０が設置される場合について説明したが、これに限らない。すなわち、１台のカメラ２０で複数の計測器Ｋを撮影してもよい。
【００６３】
また、カメラ２０を計測器Ｋの周辺に固定するのではなく、例えば、管理者が携帯するカメラ（タブレット等の情報端末に搭載されているカメラを含む）で計測器Ｋを撮影し、その撮影結果を計測値読取装置１０に送信するようにしてもよい。
また、撮影指示部１１（図２参照）を省略し、カメラ２０側で撮影タイミングを設定し、その撮影結果をカメラ２０から計測値読取装置１０に送信するようにしてもよい。
【００６４】
また、各実施形態では、カメラ２０で撮影した画像をネットワークＮを介して計測値読取装置１０に送信する処理について説明したが、これに限らない。例えば、タブレット等の情報端末に計測値読取用のプログラムをインストールしておき、この情報端末に搭載されているカメラで撮影した画像から計測値を読み取るようにしてもよい。
【００６５】
また、第１実施形態と第２実施形態とを組み合わせ、計測値が所定範囲外であるか、又は、前回に対する今回の計測値の差分等が所定範囲外である場合、判定部１４によって、計測値の読取りに誤りがあったと判定するようにしてもよい。
【００６６】
なお、計測値読取装置１０，１０Ａとしてコンピュータを機能させるためのプログラムは、通信回線を介して提供することも可能であり、また、ＣＤ−ＲＯＭ等の記録媒体にプログラムを書き込んで配布することも可能である。
【００６７】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。また、前記した機構や構成は説明上必要と考えられるものを示しており、製品上必ずしも全ての機構や構成を示しているとは限らない。
【符号の説明】
【００６８】
１００，１００Ａ  計測システム
１０，１０Ａ  計測値読取装置
１１  撮影指示部
１２  画像記憶部
１３，１３Ａ  計測値読取部
１４，１４Ａ  判定部
１５，１５Ａ  判定範囲データベース
１６  計測値記録部
１７  計測値ファイル
１８  報知部
１９  差分等算出部
２０  カメラ
Ｋ  計測器
Ｋａ  表示部
Ｎ  ネットワーク
【図１】
2017224252.tif 000003
【図２Ａ】
2017224252.tif 000004
【図２Ｂ】
2017224252.tif 000005
【図２Ｃ】
2017224252.tif 000006
【図３】
2017224252.tif 000007
【図４】
2017224252.tif 000008
【図５】
2017224252.tif 000009
【図６】
2017224252.tif 000010
【図７】
2017224252.tif 000011
【図８】
2017224252.tif 000012
【図９】
2017224252.tif 000013